(57)【要約】【課題】  二又状形態のフォークは、左右のフォークアーム間のフォーク間隔部が広過ぎると、掬取対象物を正確に掬い取ることができず、又、仮りに掬い取ることができても、このフォーク間隔部から脱落し易い。このため、フォーク間隔を狭くすると、掬取を行うことが難しく、穀粒袋等を直接掬い取るときは、フォークアームの先端部で袋を突き刺して破るおそれがある。【解決手段】二又形態のフォークアーム１の内側後部に、内側方に張出する張出片２を形成したことを特徴とするフォークリフトのフォークの構成とする。【選択図】図１
2008013272.tif 000002
【特許請求の範囲】
【請求項１】
二又形態のフォークアーム（１）の内側後部に、内側方に張出する張出片（２）を形成したことを特徴とするフォークリフトのフォーク。
【請求項２】
前記フォークアーム（１）を、後基部のベースフォーク（３）に対して前後伸縮可能に設けたことを特徴とする請求項１に記載のフォークリフトのフォーク。
【発明の詳細な説明】
【技術分野】
【０００１】
この発明は、床面に置かれた穀粒袋等の正確な掬い取りを行うフォーク構成とするフォークリフトのフォークに関する。
【背景技術】
【０００２】
二又形態のフォークは、左右両側部のフォークアームが、先端を薄くした板形状に形成し、平行状に突出させている。
【特許文献１】特開２００２−８７７６１号公報
【発明の開示】
【発明が解決しようとする課題】
【０００３】
二又状形態のフォークは、左右のフォークアーム間のフォーク間隔部が広過ぎると、掬取対象物を正確に掬い取ることができず、又、仮りに掬い取ることができても、このフォーク間隔部から脱落し易い。このため、フォーク間隔を狭くすると、掬取を行うことが難しく、穀粒袋等を直接掬い取るときは、フォークアームの先端部で袋を突き刺して破るおそれがある。
【課題を解決するための手段】
【０００４】
請求項１に記載の発明は、二又形態のフォークアーム１の内側後部に、内側方に張出する張出片２を形成したことを特徴とするフォークリフトのフォークの構成とする。床面に置かれた穀粒袋を掬い取るとき、左右両側のフォークアーム１を、この穀粒袋の両側部の床面に沿わせて差込むようにして前進させる。この左右フォークアーム１の先端部のフォーク間隔は広いために、穀粒袋の左右両側部と床面との間への介入差込を容易に行わせ、このフォークアーム１の差込に伴って張出片２が、この穀粒袋の下側面に深く差込まれて、穀粒袋の支持作用を増す。又、このフォークアーム１を抜き取るとき、奥側の張出片２が穀粒袋の下面から脱出されると、穀粒袋の支持力は小さくなって、このフォークアーム１の抜き取りを行い易くする。
【０００５】
請求項２に記載の発明は、前記フォークアーム１を、後基部のベースフォーク３に対して前後伸縮可能に設けたことを特徴とする。リフト対象物である穀粒袋等の規格に応じて、フォークアーム１をベースフォーク３に対して前後に移動調節して、この張出片２の位置を穀粒袋の支持に適する位置に調節してフォークリフト作業を行う。左右フォークアーム１間のフォーク間隔部に案内する穀粒袋を、このフォーク間隔部の奥深くに案内させて、この穀粒袋の奥側の脱落し易い個所を張出片２で支持する。
【発明の効果】
【０００６】
請求項１に記載の発明は、左右両側のフォークアーム１間のフォーク間隔部は、先端側では広く形成されると共に、奥側では張出片２の形成によって狭く形成されるため、穀粒袋の掬い取り時や、このフォークアーム１の抜き取り時は、このフォークアーム１の抜き差しを簡単、容易に行うことができ、このフォークアーム１の差込みを深くすることによって張出片２による袋下面の支持域を広くして、穀粒袋のフォーク間隔部からの脱落を防止して正確な支持を行わせることができる。又、このフォークアーム１に張出片２を形成するため構成を簡単にすることができる。
【０００７】
請求項２に記載の発明は、フォークアーム１をベースフォーク３に対して前後調整移動可能であるから、これらフォークアーム１の長さ、及び、張出片２の位置を、穀粒袋の深さ、大きさ、乃至規格等に応じて適応し易くすることができ、穀粒袋の掬取支持時は、この張出片２で穀粒袋の垂下し易い位置を支持することができる。
【発明を実施するための最良の形態】
【０００８】
図例に基づいて、フォークリフトは、リフトタワー４の前側に沿って昇降可能に二又状形態のリフトフォーク５を設ける。前輪１１、及び後輪１２を有して床面に支持し、この床面に沿って移動できる。リフトタワー４には上下のスプロケット軸７，８間に掛け渡される昇降チェン６が設けられ、この下部のスプロケット軸８が、リフトタワー４下部後側のブラケット９上に搭載のモータＭによって、伝動チェン１０を介して正逆転駆動されることにより、昇降回転してリフトフォーク５を昇降する形態である。このリフトフォーク５は、後側のベースフレーム１３の下端部から前方に向けて左右一対のフォークアーム１を突出させたもので、このベースフレーム１３を、上下方向に沿わせる形態にして、前記チェン６に取り付けて一体的に昇降するリフトブラケット１４に取付ける。このリフトブラケット１４には、ガイドローラ１５を配置して、リフトタワー４のガイドレール１６の前後面を挾持する形態に摺接させて昇降案内する構成としている。
【０００９】
前記前輪１１は、リフトタワー４の下端部左右両側部から前方へ突出する支持アーム１７の前側内側に前輪軸１８周りに回動自在に設ける。この左右支持アーム１７間は、該タワー４、及びガイドレール１６の下端前側部において連結パイプフレームで連結して剛性構成としている。前記ベースフレーム１３、及びこの前側に配置のフォークアーム１等は、これら左右の支持アーム１７、及び前輪１１間に配置している。リフトフォーク５の基部に位置するベースフォーク３は、後端にフォークブラケット１９を有して、前記ベースフレーム１３に取付けられる。このベースフォーク３は、左右両側部に適宜のフォーク間隔Ａを有して、前方へ水平、平行状に突出している。これら左右のベースフォーク３の前端に各フォークアーム１を前後移動調節可能に設ける。
【００１０】
これらベースフォーク３は内外側平行状の細径と大径のパイプ材３Ｓと３Ｌとから構成し、パイプ材３Ｓはパイプ材３Ｌの内側下位に配置し、これらの上縁が内側のパイプ材３Ｓ側で低くなる形態に構成して、リフト取扱対象物（穀粒袋Ｗ等）の掬い取り、乃至リフト支持を行い易い形態に構成している。又、これらベースフォーク３に嵌合して伸縮するフォークアーム１も同様の形態に、パイプ材１Ｓと１Ｌで構成し、このパイプ材１Ｓ，１Ｌの後端部をパイプ材３Ｓ，３Ｌの前端部外周に嵌合させて、一定長さ前後方向へ摺動自在に設け、このパイプ材１Ｌにはロックピン２０を設け、このロックピン２０をパイプ材３Ｌに配置形成のピン穴に係合することによって、このフォークアーム１の伸縮位置を固定することができる。又、前記フォークアーム１のパイプ材１Ｓの前半部分は、前端を外側のパイプ材１Ｌの前端部に向うように傾斜する傾斜縁２１を形成し、左右のフォークアーム１間の前部フォーク間隔Ａ１を前端部で広くするように形成して、穀粒袋Ｗ等の掬い込みを行い易くしている。
【００１１】
ここにおいて、この発明に係るフォークは、二又形態のフォークアーム１の内側後部に、内側方に張出する張出片２を形成したことを特徴とするフォークリフトのフォークの構成とする。床面に置かれた穀粒袋を掬い取るとき、左右両側のフォークアーム１を、この穀粒袋の両側部の床面に沿わせて差込むようにして前進させる。この左右フォークアーム１の先端部のフォーク間隔は広いために、穀粒袋の左右両側部と床面との間への介入差込を容易に行わせ、このフォークアーム１の差込に伴って張出片２が、この穀粒袋の下側面に深く差込まれて、穀粒袋の支持作用を増す。又、このフォークアーム１を抜き取るとき、奥側の張出片２が穀粒袋の下面から脱出されると、穀粒袋の支持力は小さくなって、このフォークアーム１の抜き取りを行い易くする。
又、前記フォークアーム１を、後基部のベースフォーク３に対して前後伸縮可能に設けたことを特徴とする。リフト対象物である穀粒袋等の規格に応じて、フォークアーム１をベースフォーク３に対して前後に移動調節して、この張出片２の位置を穀粒袋の支持に適する位置に調節してフォークリフト作業を行う。左右フォークアーム１間のフォーク間隔部に案内する穀粒袋を、このフォーク間隔部の奥深くに案内させて、この穀粒袋の奥側の脱落し易い個所を張出片２で支持する。
【００１２】
前記左右のフォークアーム１のパイプ材１Ｓの後端部に一体に張出片２を設ける。この張出片２は、これらパイプ材１Ｓよりも細い径の棒材から形成し、内側方へ突出した突出縁２Ａをこのパイプ材１Ｓと平行状に前後方向に沿わせる形態とし、この前縁２Ｂを前端が外側へ向けて傾斜する傾斜縁に形成し、後縁２Ｃを後端が外側へ向けて傾斜する傾斜縁に形成する。これら前縁２Ｂ、後縁２Ｃによって、穀粒袋Ｗ等に対するフォークアーム１の抜き差し案内を円滑に行わせる。又、この張出片２をパイプ材１Ｌ、及び１Ｓ等と同様に最下位に設けて、これら張出片２、パイプ材１Ｓ、及び１Ｌの上端縁間を結ぶ傾斜面２２を内側下りの勾配に形成して、穀粒袋Ｗ等の掬い込みを容易にしている。
【００１３】
床面に置かれた穀粒袋Ｗを掬い取って上昇するときは、リフトフォーク５を最下限位置に下降させた状態で、リフトタワー４を前、後輪１１，１２の接地案内で移動させて、該穀粒袋Ｗを左右のフォークアーム１間のフォーク間隔Ａ部に案内するように操作する。このときこのリフトタワー４を直接ハンドル操作等で移動するハンド操作形態とすることも可能であるが、トラクタ等の車体の前側にリフトタワー４を取付けて操作するアタッチメント形態に構成して操作することも可能である。穀粒袋Ｗは、袋口部Ｗ１を紐等で結び締めて閉鎖するが、床面に倒状して置かれる穀粒袋Ｗは、この袋底部Ｗ２側の袋幅Ｌ２よりも袋口部Ｗ１側の袋幅Ｌ１が狭く形成されるため、リフトフォーク５を差込むときは、この袋口部Ｗ１側から袋底部Ｗ２側に向けて移動推進させることによって、穀粒袋Ｗの掬い取り、抜き外し等を円滑に行わせることができる。
【００１４】
又、この穀粒袋Ｗは、袋底部Ｗ２では有底のため袋幅Ｌ２にわたる方向の剛性が強く、左右のフォークアーム１間にわたって支持された状態での垂下、脱落は少ないものである。しかし、袋口部Ｗ１側は、袋幅Ｌ１が狭いことが多いため、フォーク間隔Ａが広い形態であるときは、リフトフォーク５上昇時にこのフォーク間隔Ａから垂下、脱落し易い状態となる。
穀粒袋Ｗに対してリフトフォーク５を差し込むことによって、左右のフォークアーム１の前端部がこの穀粒袋Ｗの左右両側部と床面との間に介入されて、このフォークアーム１の内縁は前端部の傾斜縁２１から、後部の張出片２にわたって移行する状態となり、穀粒袋Ｗの幅方向に深く差し込むことができ、この差込位置をパイプ材１Ｓや、張出片２等で支持する。このようにして穀粒袋Ｗの左右両部と床面との間に差し込まれたフォークアーム１は、これら内部の張出片２から外側のパイプ材１Ｌにわたって形成される傾斜面２２によって穀粒袋Ｗを支持する。このため、このフォークアーム１の差し込みを円滑に行い、穀粒袋Ｗを破損することも少なく、穀粒袋Ｗの左右偏位を少なくして、リフトフォーク５昇降時も安定した袋Ｗ姿勢に支持することができる。特に、張出片２の位置するフォーク間隔Ａ２を狭く形成しているため、この張出片２によって穀粒袋Ｗの幅方向中央部の垂下を支持して、フォーク間隔Ａからの脱落を防止する。
【００１５】
穀粒袋Ｗは、この規格や、サイズ、乃至穀粒収容量等によって、袋底部Ｗ２から袋口部Ｗ１にわたる袋高さを異にすることがある。この場合はフォークアーム１を、ベースフォーク３に対してロックピン２０に抜き差しによって伸縮移動させて固定することができ、使用する穀粒袋Ｗに適当する深さに設定することができる。この場合、前記張出片２はこの前側のフォークアーム１に形成されて一体的に伸縮移動されるため、袋幅の比較的狹い袋口部Ｗ１側を支持するため、このフォーク間隔Ａ部からの脱落を有効に防止することができる。
【００１６】
前記リフトフォーク５は、ベースフレーム１３に対して上下揺動自在にして取付けられる。このため、リフトタワー４側の機体と、リフトフォーク５側とが床面の高さ、乃至傾斜を異にするときは、このリフトフォーク５をリフトタワー４に対してピッチング、又はローリングさせて、このリフトフォーク５の床面と平行した姿勢で掬い取り移動させることができ的確な掬い取りを行わせる。前記ベースフレーム１３とフォークブラケット１９との間は、このベースフレーム１３に取付けられるカラー２４と、これに嵌合支持されるフォークブラケット１９の支持穴２５との間によって、このフォークブラケット１９がベースフレーム１３に対して揺動自在にして支持している。このカラー２４は、ボルト２６によってベースフレーム１３に適数配置のナット穴２７に螺挿して取付ける。このボルト２６の座金２８とベースフレーム１３前面との間にカラー２４によって適宜間隔の揺動間隔Ｄを形成し、前記フォークブラケット１９の支持穴２５をこのカラー２４の外周に嵌合させる。この支持穴２５の穴径はカラー２４の外径よりも適宜大きく設定して、フォークブラケット１９をこの揺動間隔Ｄにおいて揺動自在の形態とする。
【００１７】
次に、主として図６に基づいて、前記リフトフォーク５を、リフトブラケット１４に対して、横方向の揺動軸３１の周に回動自在に支持して取付けると共に、これらリフトフォーク５のフォークブラケット１９とベースフレーム１３との間にわたってダンパスプリング３２を介装したもので、リフトフォーク５はこの揺動軸３１の周りにダンパスプリング１４に抗して上下回動し、このリフトフォーク５の床面への追従性を向上させる。
【図面の簡単な説明】
【００１８】
【図１】リフトフォーク部の平面図と、そのフォークアーム部の正面図。
【図２】その側面図。
【図３】その正面図。
【図４】リフトフォーク取付部の分解斜視図と、その一部の側断面図。
【図５】フォークリフトの全体側面図。
【図６】一部別例を示すリフトフォーク取付部の側面図。
【符号の説明】
【００１９】
１    フォークアーム
２    張出片
３    ベースフォーク
４    リフトタワー
５    リフトフォーク
【図１】
2008013272.tif 000003
【図２】
2008013272.tif 000004
【図３】
2008013272.tif 000005
【図４】
2008013272.tif 000006
【図５】
2008013272.tif 000007
【図６】
2008013272.tif 000008